(57)【要約】【課題】複数の表示装置を有する撮影装置において、各々の表示装置を共通の駆動制御回路で駆動しようとすると、映像の表示が不適切になることがある。【解決手段】撮影装置の構成として、画面の垂直方向に複数の表示ラインを有する液晶ビューファインダ４と、画面の垂直方向に複数の表示ラインを有し、かつ上下反転表示が可能な液晶モニタ５と、これらを駆動制御する駆動制御回路１４とを備える。駆動制御回路１４は、互いに異なるタイミングで垂直走査開始パルスを発生するパルス発生部１４１，１４２、液晶モニタ５の向きによってオンオフが切り替わる検出センサ１３のセンサ信号に基づいて液晶モニタ５の表示状態が上下反転表示であるか認識し、この認識結果に応じて液晶モニタ５に出力すべき垂直走査開始パルスを選択することにより、液晶モニタ５で複数の表示ラインを垂直方向に走査するときの開始タイミングを切り替えるパルス選択部１４３とを有する。【選択図】        図４
2004356948.tif 000002
【特許請求の範囲】
【請求項１】
画面の垂直方向に複数の表示ラインを有する第１の表示装置と、
画面の垂直方向に複数の表示ラインを有し、かつ上下反転表示が可能な第２の表示装置と、
前記第１の表示装置及び前記第２の表示装置を駆動制御する駆動制御手段とを備え、
前記第１の表示装置及び前記第２の表示装置のうち、少なくとも前記第２の表示装置の表示ライン数を奇数に設定してなる
ことを特徴とする撮影装置。
【請求項２】
画面の垂直方向に複数の表示ラインを有する第１の表示装置と、
画面の垂直方向に複数の表示ラインを有し、かつ上下反転表示が可能な第２の表示装置と、
前記第１の表示装置及び前記第２の表示装置を駆動制御する駆動制御手段とを備え、
前記駆動制御手段は、前記第２の表示装置の表示状態が上下反転表示であるか否かに応じて、当該第２の表示装置で前記複数の表示ラインを垂直方向に走査するときの垂直走査開始タイミングを切り替える
ことを特徴とする撮影装置。
【請求項３】
前記駆動制御手段は、前記第２の表示装置の表示モードを通常表示モードからワイド表示モードに切り替える場合に、前記第２の表示装置の画面上側領域と画面下側領域をそれぞれ黒表示のための黒表示領域とし、その間の領域を映像表示のための実表示領域とすることで実表示画面の縦横比を変更するとともに、前記黒表示領域と前記実表示領域の境界を境界表示ラインとし、当該境界表示ラインへの書き込み信号を前記垂直走査開始タイミングに応じて切り替える
ことを特徴とする請求項２記載の撮影装置。
【請求項４】
画面に垂直方向に複数の表示ラインを有する第１の表示装置と、画面の垂直方向に複数の表示ラインを有し、かつ上下反転表示が可能な第２の表示装置とを備える撮影装置の駆動方法であって、
前記第２の表示装置の表示状態が上下反転表示であるか否かに応じて、当該第２の表示装置で前記複数の表示ラインを垂直方向に走査するときの垂直走査開始タイミングを切り替える
ことを特徴とする撮影装置の駆動方法。
【請求項５】
前記第２の表示装置の表示モードを通常表示モードからワイド表示モードに切り替える場合に、前記第２の表示装置の画面上側領域と画面下側領域をそれぞれ黒表示のための黒表示領域とし、その間の領域を映像表示のための実表示領域とすることで実表示画面の縦横比を変更するとともに、前記黒表示領域と前記実表示領域の境界を境界表示ラインとし、当該境界表示ラインへの書き込み信号を前記垂直走査開始タイミングに応じて切り替える
ことを特徴とする請求項４記載の撮影装置の駆動方法。
【発明の詳細な説明】
【０００１】
【発明の属する技術分野】
本発明は、ビデオカメラなどの撮影装置に係り、特に、複数の表示装置を有する撮影装置とその駆動方法に関する。
【０００２】
【従来の技術】
複数の表示装置を有する撮影装置（例えば、液晶モニタと液晶ビューファインダを有するビデオカメラ）では、各々の表示装置を別々（専用）の駆動制御回路（ＩＣ）で駆動している。ただし現状では、撮影装置全体として小型化・低消費電力化が求められており、これに伴って複数の表示装置を共通（一つ）の駆動制御回路で駆動したいという要望がある。
【０００３】
こうした要望への対応として、複数の表示装置の駆動方法・画素数・画素配列を全く同一にし、駆動制御回路の駆動能力（パワー）を上げ、駆動制御回路からの出力を外部で分岐して各々の表示装置に接続すれば、複数の表示装置を共通の駆動制御回路で駆動することが可能となる。
【０００４】
また従来においては、液晶モニタと液晶ビューファインダを有するビデオカメラにおいて、カメラ本体に付属の液晶モニタの画面を被写体側に向けて撮影（以下、対面撮影）する機能を備えるとともに、この対面撮影を行うときに液晶モニタの画面に被写体側から見て映像が上下逆さに表示されないよう、液晶モニタの画面上で表示の向きを通常の表示状態から上下反転させる上下反転手段を備えたものが知られている（例えば、下記特許文献１参照）
【０００５】
【特許文献１】
特許第３３４７０４８号公報
【０００６】
【発明が解決しようとする課題】
しかしながら、複数の表示装置の中で一部の表示装置のみを上下反転表示したい場合に、複数の表示装置を共通の駆動制御回路で駆動するとなると、実際に上下反転表示を行った表示装置で映像の表示状態が不適切になることがある。
【０００７】
さらに詳述すると、上下反転表示の切り替えは、これを行う表示装置で画面の上側から表示ラインの垂直走査を開始するか、画面の下側から表示ラインの垂直走査を開始するかを切り替えることによって実現可能である。ただし、表示ラインが奇数ラインか偶数ラインかによって表示制御の処理形態が異なるカメラシステムの場合は、上下反転表示しないときに図１３（Ａ）のように表示されていたものが、上下反転表示したときに図１３（Ｂ）のように不適切に表示されてしまうことがある。
【０００８】
例えば、表示ラインの画素配列が図１４のようなデルタ型の配列の場合、互いに隣接する奇数ラインと偶数ラインで、同じ色成分の画素位置が水平方向でずれたかたちとなる。そのため、表示ライン（奇数ライン／偶数ライン）毎に水平走査の開始タイミングをずらす（図１４に示す画素配列の場合は１．５画素分ずらす）必要があり、これを行ったときに上下反転表示で表示状態が不適切になってしまう。
【０００９】
本発明は、上記課題を解決するためになされたもので、その目的とするところは、複数の表示装置を有する撮影装置において、各々の表示装置を共通の駆動制御回路で駆動する際の表示上の不具合を解消することにある。
【００１０】
【課題を解決するための手段】
本発明に係る撮影装置は、画面の垂直方向に複数の表示ラインを有する第１の表示装置と、画面の垂直方向に複数の表示ラインを有し、かつ上下反転表示が可能な第２の表示装置と、第１の表示装置及び第２の表示装置を駆動制御する駆動制御手段とを備え、第１の表示装置及び第２の表示装置のうち、少なくとも第２の表示装置の表示ライン数を奇数に設定したものである。
【００１１】
この撮影装置においては、画面の垂直方向で第２の表示装置の表示ライン数を奇数に設定することにより、第２の表示装置の表示状態を上下反転しない場合と上下反転する場合のいずれにおいても、表示ラインの垂直走査が常に奇数ライン目から開始されるようになる。
【００１２】
また本発明に係る撮影装置は、画面の垂直方向に複数の表示ラインを有する第１の表示装置と、画面の垂直方向に複数の表示ラインを有し、かつ上下反転表示が可能な第２の表示装置と、第１の表示装置及び第２の表示装置を駆動制御する駆動制御手段とを備え、この駆動制御手段は、第２の表示装置の表示状態が上下反転表示であるか否かに応じて、当該第２の表示装置で複数の表示ラインを垂直方向に走査するときの垂直走査開始タイミングを切り替えるものである。
【００１３】
この撮影装置においては、第２の表示装置の表示状態が上下反転表示であるか否かに応じて、当該第２の表示装置で複数の表示ラインを垂直方向に走査するときの垂直走査開始タイミングを切り替えることにより、第２の表示装置の表示ライン数が偶数に設定された場合、つまり垂直走査を開始する表示ラインが、上下反転しないときは奇数ライン、上下反転するときは偶数ラインとなる場合に、これに合わせて垂直走査開始タイミングを適切にずらすことが可能となる。
【００１４】
【発明の実施の形態】
以下、本発明に係る撮影装置をビデオカメラに適用した場合の具体的な実施の形態につき、図面を参照しつつ詳細に説明する。
【００１５】
図１は本発明が適用されるビデオカメラの外観を示す斜視図である。図示したビデオカメラ１は、カメラ本体２の前部にレンズ３、後部に液晶ビューファインダ４、側部に液晶モニタ５を有している。このうち、液晶ビューファインダ４は本発明における「第１の表示装置」に相当し、液晶モニタ５は本発明における「第２の表示装置」に相当する。
【００１６】
液晶モニタ５は、ヒンジ部６によりカメラ本体２に対して開閉可能で、かつ、開状態（図の状態）でヒンジ部６を中心に矢印方向に回転可能に設けられている。液晶モニタ５は、ヒンジ部６に連結されたフレーム７と、このフレーム７に取り付けられた液晶パネル８と、この液晶パネル８の背面側に組み付けられたバックライト（不図示）とを備えている。
【００１７】
通常撮影モードで液晶モニタ５を使用しないときは、カメラ本体の２の側部に液晶モニタ５を収納した状態（液晶モニタ５の画面表示をオフした状態）で、撮影者がカメラ本体２の後方から液晶ビューファインダ４を覗きながら撮影する。また、通常撮影モードで液晶モニタ５を使用するときは、カメラ本体２の側部に収納された液晶モニタ５を外側に開いて液晶パネル８を撮影者側に向け、撮影者がカメラ本体２の後方から液晶モニタ５の液晶パネル８に表示された映像を見ながら撮影できるようにする。一方、対面撮影モードでは、開状態にある液晶モニタ５を回転操作して液晶パネル８を被写体側に向け、実際に撮影されている人がどのように撮影されているかを、液晶モニタ５の液晶パネル８に表示された映像を見ながら確認できるようにする。
【００１８】
なお、対面撮影モードでは、撮影者がカメラ本体２の後方から液晶ビューファインダ４を覗きながら撮影した映像を、実際に撮影されている人（撮影者と別人）が被写体側から液晶モニタ５の液晶パネル８で確認できるようになっているが、場合によっては、実際に撮影されている人自身が撮影者となる（対面撮影モードを使って自分自身を撮影する）こともある。そこで、本明細書においては、撮影する側と撮影される側を明確に区別するために、カメラ本体２の後方から液晶ビューファインダ４や液晶モニタ５を見て撮影する人を撮影者と呼び、実際にレンズ３を向けられて撮影される人を被撮影者と呼ぶことにする。
【００１９】
図２は本発明が適用されるビデオカメラの制御系の構成例を示すブロック図である。図において、撮像部１１は、実際に撮影した映像を電気信号（以下、映像信号）として出力するもので、これは、上述した撮影用のレンズ３と、このレンズ３を通して取り込まれた光を受光して電気信号に変換するＣＣＤセンサ等の撮像素子と、この撮像素子から出力された電気信号（映像信号）をアナログ信号からデジタル信号に変換するＡ／Ｄ変換回路等を含む。
【００２０】
入力操作部１２は、ビデオカメラ１を操作する操作者（撮影者）が各種のボタン、スイッチ等の入力キーを用いて入力操作を行う部分で、実際に入力操作された場合はそれに応じた操作信号が出力される。入力操作部１２を用いて操作可能な項目としては、ビデオカメラ１の電源のオンオフ操作、ビデオ再生機能とビデオ撮影機能の切り替え操作、撮影のオンオフ（開始、一時停止、終了）操作、液晶モニタ５の表示モード（通常表示モード／ワイド表示モード）の切り替え操作、ズーム操作等が含まれる。
【００２１】
検出センサ１３は、液晶モニタ５の向きを検出するため、ひいては現在の撮影モード（通常撮影モード／対面撮影モード）を判別するための手段となるもので、上記ヒンジ部６を中心に液晶モニタ５を回転操作したときに、液晶モニタ５の回転操作角度に応じてオンオフするセンサ信号を出力する。この検出センサ１３が出力するセンサ信号は、例えば液晶モニタ５の液晶パネル８を撮影者側に向けた状態でオフとなり、この状態からヒンジ部６を中心に液晶モニタ５を回転操作して液晶パネル８を被写体側（被撮影者側）に向けた状態でオンとなる。また、検出センサ１３のセンサ信号は、例えば液晶パネル８がほぼ真上を向いた状態（液晶モニタ５がほぼ水平状態）のときにオンオフが切り替わる。よって、検出センサ１３から出力されるセンサ信号を参照することにより、撮影モードが通常撮影モード（液晶モニタ５の液晶パネル８を撮影者側に向けて撮影するモード）であるか対面撮影モード（液晶モニタ５の液晶パネル８を被写体側に向けて撮影するモード）であるかを判別することが可能となる。
【００２２】
駆動制御回路１４は、例えば一つの半導体集積回路（半導体ＩＣ）によって構成されるもので、これは、撮像部１１から入力される映像信号や入力操作部１２から入力される操作信号、検出センサ１３から入力されるセンサ信号にしたがって、液晶ビューファインダ４及び液晶モニタ５を駆動制御する共通の駆動制御手段となる。この駆動制御回路１４では、検出センサ１３から出力されるセンサ信号によって撮影モードが通常撮影モードから対面撮影モードに切り替わったことを感知すると、液晶パネル８に表示される映像が上下反転して表示されるように（被撮影者側から見て上下逆さに表示されないように）液晶モニタ５を駆動制御する。以降の説明では、対面撮影モードで適用される、上下反転する表示状態を上下反転表示状態と呼び、通常撮影モードで適用される、上下反転しない表示状態を上下非反転表示状態と呼ぶ。
【００２３】
［第１実施形態］
上述した液晶ビューファインダ４と液晶モニタ５は、それぞれ画面の上下方向を垂直方向、画面の左右方向を水平方向と定義すると、水平方向に沿ってＲ（赤），Ｇ（緑），Ｂ（青）の表示画素を連続的に配列した表示ラインを、垂直方向に複数（多数）配列することにより、一つの表示用の画面を構成している。この場合、液晶ビューファインダ４と液晶モニタ５を互いに共通の駆動制御回路１４で簡易的に駆動するためには、それぞれの表示画素数、表示画素配列、表示ライン数を共通化（同一に設定）することが望ましい。
【００２４】
また、通常撮影モードのときの液晶モニタ５の向きを基準に液晶パネル８の画面上下方向を規定するものとすると、駆動制御回路１４においては、通常撮影モードで液晶モニタ５を使用するときに、液晶パネル８の画面上側から画面下側に向かって表示ラインの垂直走査を開始することにより上下非反転表示を実現する一方、対面撮影モードで液晶モニタ６を使用するときに、液晶パネル８の画面下側から画面上側に向かって表示ラインの垂直走査を開始することにより上下反転表示を実現する。
【００２５】
そこで本第１実施形態に係るビデオカメラ１では、それぞれ画面の垂直方向において、液晶ビューファインダ４の表示ライン数と液晶モニタ５の表示ライン数を共に奇数に設定している。これにより、液晶モニタ５の向きに応じて液晶パネル８の表示状態が上下非反転表示と上下反転表示との間で切り替わる場合でも、表示ラインの垂直走査が常に奇数ライン目から開始されるようになる。すなわち、液晶パネル８の表示画面を構成する表示ラインのライン総数がＮ本（ただし、Ｎは３以上の奇数）であって、表示ラインのライン番号が画面の上側から下側に向かって１，２，…，Ｎと順に付される場合に、上下非反転表示の場合は１ライン目から垂直走査が開始され、上下反転表示の場合はＮライン目から垂直走査が開始される。
【００２６】
したがって、例えば液晶モニタ５の表示画面を構成する液晶パネル８の画素配列がデルタ型の配列であって、各々の表示ライン（奇数ライン／偶数ライン）毎に水平走査の開始タイミング（水平方向の表示開始タイミング）をずらす必要がある場合でも、上下非反転表示と上下反転表示の双方で、水平走査の開始タイミングをずらすべき奇数ラインと偶数ラインの関係が同じになる。その結果、図３（Ａ），（Ｂ）に示すように、通常撮影モードで上下非反転表示した場合と対面撮影モードで上下反転表示した場合のいずれにおいても、液晶モニタ５の液晶パネル８に適切に映像を表示することができる。
【００２７】
なお、上記第１実施形態においては、液晶ビューファインダ４の表示ライン数と液晶モニタ５の表示ライン数を共に奇数に設定したが、本発明はこれに限らず、液晶ビューファインダ４の表示ライン数を偶数に設定し、液晶モニタ５の表示ライン数を奇数に設定したものであってもよい。
【００２８】
［第２実施形態］
上記第１実施形態においては、液晶モニタ５を設計する上で、垂直方向の表示ライン数を奇数に設定する必要があるため、垂直方向の表示ライン数を偶数に設定したい場合は別の手段を採用する必要がある。そこで本第２実施形態においては、駆動制御回路１４の構成要素の一つとして図４に示すような構成を採用している。図において、第１のパルス発生部１４１は、図５に示す水平同期信号φＨにしたがって第１の垂直走査開始パルスφＳＶ１を発生するものである。一方、第２のパルス発生部１４２は、上記水平同期信号φＨにしたがって第２の垂直走査開始パルスφＳＶ２を発生するものである。第１の垂直走査開始パルスφＳＶ１及び第２の垂直走査開始パルスφＳＶ２は、それぞれ液晶モニタ５の液晶パネル８上で、この液晶パネル９の表示画面を構成する各々の表示ラインを垂直方向に走査するときの垂直走査開始タイミングを規定するものである。なお、垂直同期信号φＶと水平同期信号φＨは、撮像部１１から駆動制御回路１４に入力される映像信号に付加して与えられるものである。
【００２９】
第１のパルス発生部１４１は、垂直同期信号φＶが出力されると、この出力タイミングから水平同期信号φＨの出力回数をカウントし、このカウント値が予め設定された値（ここではＭとする）に達したときに、第１の垂直走査開始パルスφＳＶ１を出力する。これに対して、第２のパルス発生部１４２は、垂直同期信号φＶが出力されると、この出力タイミングから水平同期信号φＨの出力回数をカウントし、このカウント値が予め設定された値（Ｍ＋１）に達したときに、第２の垂直走査開始パルスφＳＶ２を出力する。つまり、第２のパルス発生部１４２は、第１のパルス発生部１４１が第１の垂直走査開始パルスφＳＶ１を出力してから１水平走査期間（１ライン周期）終了後に第２の垂直走査開始パルスφＳＶ２を出力する。
【００３０】
パルス選択部１４３は、第１のパルス発生部１４１が発生する第１の垂直走査開始パルスφＳＶ１及び第２のパルス発生部１４２が発生する第２の垂直走査開始パルスφＳＶ２のいずれか一方を選択して液晶ビューファインダ４と液晶モニタ５にそれぞれ出力するものである。
【００３１】
さらに詳述すると、パルス選択部１４３は、第１の垂直走査開始パルスφＳＶ１及び第２の垂直走査開始パルスφＳＶ２のうち、第１の垂直走査開始パルスφＳＶ１を選択して液晶ビューファインダ４に出力する。また、パルス選択部１４３は、検出センサ１３から出力されるセンサ信号を参照することにより、現在の撮影モード（通常撮影モード／対面撮影モード）を判別し、この判別結果に応じて、第１の垂直走査開始パルスφＳＶ１及び第２の垂直走査開始パルスφＳＶ２のいずれか一方を選択し、この選択した垂直走査開始パルス（φＳＶ１又はφＳＶ２）を液晶モニタ５に出力する。
【００３２】
これにより、液晶ビューファインダ４に対しては、パルス選択部１４３から常に第１の垂直走査開始パルスφＳＶ１が出力される。また、液晶モニタ５に対しては、そのときの撮影モードが通常撮影モードであるか対面撮影モードであるかに応じて、パルス選択部１４３から出力される垂直走査開始パルス（第１の垂直走査開始パルスφＳＶ１／第２の垂直走査開始パルスφＳＶ２）が切り替えられる。具体的には、パルス選択部１４３において、現在の撮影モードが通常撮影モードであると認識したときは第１の垂直走査開始パルスφＳＶ１を選択して液晶モニタ５に出力し、対面撮影モードであると認識したときは第２の垂直走査開始パルスφＳＶ２を選択して液晶モニタ５に出力する。
【００３３】
上記構成の駆動制御回路１４を備えたビデオカメラ１において、通常撮影モードで撮影を行う場合は、液晶モニタ５の液晶パネル８が撮影者側に向けられるため、検出センサ１３から出力されるセンサ信号がオフ状態となる。したがって、パルス選択部１４３では、検出センサ１３から入力されるセンサ信号（オフ信号）に基づいて、現在の撮影モードが通常撮影モードであると認識する。そのため、パルス選択部１４３は、第１のパルス発生部１４１が発生する第１の垂直走査開始パルスφＳＶ１を選択し、この第１の垂直走査開始パルスφＳＶ１を液晶ビューファインダ４と液晶モニタ５の両方に出力する。
【００３４】
これにより、例えば上記図５に示すように第１の垂直走査開始パルスφＳＶ１の出力タイミングで奇数ライン目の表示ラインを水平走査し、第２の垂直走査開始パルスφＳＶ２の出力タイミングで偶数ライン目の表示ラインを水平走査するものとすると、通常撮影モードでは液晶ビューファインダ４と液晶モニタ５の両方で共に奇数ライン目（通常は１ライン目）の表示ラインから垂直方向への走査が開始されることになる。
【００３５】
これに対して、液晶モニタ５の向きを回転させて撮影モードを通常撮影モードから対面撮影モードに切り替えた場合は、液晶パネル８が被写体側（被撮影者側）に向けられるため、検出センサ１３から出力されるセンサ信号がオン状態となる。したがって、パルス選択部１４３では、検出センサ１３から入力されるセンサ信号（オン信号）に基づいて、現在の撮影モードが対面撮影モードであると認識する。そのため、パルス選択部１４３は、第１のパルス発生部１４１が発生する第１の垂直走査開始パルスφＳＶ１を選択して液晶ビューファインダ４に出力する一方、第２のパルス発生部１４２が発生する第２の垂直走査開始パルスφＳＶ２を選択して液晶モニタ５に出力する。
【００３６】
これにより、液晶ビューファインダ４では第１の垂直走査開始パルスφＳＶ１の出力タイミングで奇数ライン目の表示ラインが水平走査されるのに対し、液晶モニタ５の液晶パネル８では第２の垂直走査開始パルスφＳＶ２の出力タイミングで偶数ライン目の表示ラインが水平走査される。このとき、液晶モニタ５の液晶パネル８の表示ライン数（垂直方向の表示ラインの総数）が偶数（ここではＫとする）に設定されているものとすると、通常撮影モードでは上下非反転表示の適用によって１ライン目の表示ラインから垂直方向（画面の下方向）への走査が開始されるのに対し、対面撮影モードでは上下反転表示の適用によってＫライン目の表示ラインから垂直方向（画面の上方向）への走査が開始される。つまり、通常撮影モードでは奇数ライン目の表示ラインから垂直走査が開始されるのに対し、対面撮影モードでは偶数ライン目の表示ラインから垂直走査が開始される。
【００３７】
このことを先ほどの垂直走査開始パルスφＳＶ１，φＳＶ２の選択方式（切り替え方式）と照らし合わせて考えると、上下反転表示を行わない通常撮影モードでは第１の垂直走査開始パルスφＳＶ１の出力タイミングにしたがって奇数ライン目（１ライン目）の表示ラインから垂直走査が開始され、上下反転表示を行う対面撮影モードでは第２の垂直走査開始パルスφＳＶ２の出力タイミングにしたがって偶数ライン目（Ｋライン目）の表示ラインから垂直走査が開始される。これにより、通常撮影モード（上下非判定表示）の場合と対面撮影モード（上下反転表示）の場合で、液晶モニタ５の垂直走査開始タイミングを適切にずらすことができる。その結果、表示ラインが奇数ラインか偶数ラインかによって表示制御の処理形態を変える必要がある場合でも、各々の表示ラインに対して適切な表示制御の処理形態を適用することができる。
【００３８】
具体的には、例えば液晶モニタ５における液晶パネル８の表示画素配列がデルタ配列で、表示ライン（奇数ライン／偶数ライン）毎に水平走査の開始タイミングをずらす必要がある場合に、撮影モードが通常撮影モードか対面撮影モードかにかかわらず、各々の表示ライン（奇数ライン／偶数ライン）で水平走査の開始タイミングを適切にずらし、水平方向での画素位置のずれを補正することができる。したがって、液晶モニタ５で映像を上下反転表示しても不適切な表示となることがない。その結果、上下反転表示と上下非反転表示のいずれにおいても、液晶モニタ５の液晶パネル８に適正に映像を表示することができる。
【００３９】
ちなみに、液晶モニタ５の液晶パネル８に映像を表示した状態で、撮影モードを通常撮影モードから対面撮影モード（又は対面撮影モードから通常撮影モード）に切り替えると、そのときの垂直走査開始タイミングのずれ（垂直走査開始パルスφＳＶ１，φＳＶ２の切り替わり）に応じて映像の表示位置が垂直方向で１ラインずれることになる。しかしながら、実際にビデオカメラ１の使用状況を考えると、対面撮影モードで撮影するときに液晶ビューファインダ４と液晶モニタ５の両方を同時に見ることが皆無であり、また１ライン程度のずれでは人間の目で確認が困難であることから、特に問題となることはない。
【００４０】
ところで、液晶モニタ５の画面（液晶パネル８のパネル面）に映像を表示するときの表示モードとしては、実際に撮影した映像が表示される画面（実表示画面）の縦横比の違いにより、通常表示モードとワイド表示モードとがある。通常表示モードとは、液晶パネル８の画面全体にパネル外形の縦横比に合わせて映像を表示する表示モードをいい、ワイド表示モードとは、通常表示モードよりも実表示画面を横長にして表示する表示モードをいう。具体的には、通常表示モードは、液晶モニタ５の液晶パネル８に表示される映像画面の縦横比を４（横）：３（縦）として表示する表示モードであり、ワイド表示モードは、液晶モニタ５の液晶パネル８に表示される映像画面の縦横比を１６（横）：９（縦）として表示する表示モードである。
【００４１】
ワイド表示モードは、図６に示すように、撮像部１１から入力される映像信号を垂直方向で間引いて液晶モニタ５に出力することにより、元々の映像信号を垂直方向で圧縮した状態で液晶モニタ５の画面（液晶パネル８）に表示し、これによって画面上に生じる上／下の無効部分（映像として表示されない部分）をそれぞれ黒表示領域とすることにより擬似的に実現されるものである。このワイド表示モードでは、画面上側領域と画面下側領域に設定される黒表示領域の表示ライン数と、元々の映像信号からの間引きライン数が、それぞれ実表示画面（実際に映像が表示される画面部分）の縦横比（１６：９）に合わせて適宜設定される。その際、黒表示領域の表示ラインへの映像信号の書き込みは、元々の映像信号の書き込み期間を除いた、垂直ブランキング期間内に終える必要がある。そのため、黒表示領域の表示ラインへの映像信号の書き込みを非常に短期間で行う必要がある。
【００４２】
この対応策としては、駆動制御回路１４において、黒表示領域の表示ラインに黒表示のための映像信号（以下、黒表示信号とも記す）を書き込む際に、複数本の表示ラインを同時に書き込む方法がある。具体的には、例えば図７（Ａ）に示すように黒表示領域の表示ライン数が９ラインであるとすると、それらの表示ラインを電気的なスイッチにより３ラインずつの組（▲１▼の組，▲２▼の組、▲３▼の組）につなぎ、各組に属する表示ラインに２ラインずつ同時に黒表示信号を書き込む。
【００４３】
すなわち、図７（Ｂ）に示すように垂直走査開始パルスφＳＶの出力タイミングを基準に、先ず、▲１▼の組に属する表示ラインに１水平走査期間内で黒表示信号を同時に書き込み、次に、▲２▼組に属する表示ラインに１水平走査期間内で黒表示信号を同時に書き込み、次いで、▲３▼組に属する表示ラインに１水平走査期間内で黒表示信号を同時に書き込む。これにより、黒表示領域に含まれる９ラインの表示ラインに黒表示信号を１ラインずつ書き込む場合に比較して、実際の書き込み期間を１／３に短縮することができる。なお、図７（Ｂ）に示す符号Ｖｓは、駆動制御回路１４から第２の表示装置（本形態例では液晶モニタ５）出力される映像信号を示している。
【００４４】
しかしながら、このような書き込み方式を対面撮影モードのときに採用すると、上記第２実施形態のように撮影モードに応じて垂直走査開始パルスφＳＶ１／φＳＶ２を切り替える（換言すると、垂直走査開始タイミングをずらす）場合に次のような不具合が生じる。すなわち、図８（Ａ），（Ｂ）に示すように、通常撮影モードで選択される第１の垂直走査開始パルスφＳＶ１にしたがって黒表示領域の表示ラインに映像信号を書き込む場合は、▲１▼〜▲３▼に属する各組の表示ライン全てに黒表示信号が書き込まれるものの、対面撮影モードで選択される第２の垂直走査開始パルスφＳＶ２にしたがって黒表示領域の表示ラインに映像信号を書き込む場合は、▲１▼及び▲２▼に属する組の表示ラインに黒表示信号が書き込まれ、▲３▼に属する組の表示ラインには通常の映像信号（撮影によって得られた映像信号）が書き込まれる。これにより、本来黒表示となるべき領域内に通常の映像信号が挿入される。その結果、撮影モードが対面撮影モード（表示状態が上下反転表示の場合）で、表示モードがワイド表示モードのときに、液晶モニタ５の液晶パネル８に表示される映像が不適切なものとなってしまう。
【００４５】
［第３実施形態］
上記の不具合を解消すべく、本発明の第３実施形態においては、駆動制御回路１４の構成要素の一つとして図９のような構成を採用している。図示した駆動制御回路１４の構成においては、上記第２実施形態で採用した第１のパルス発生部１４１、第２のパルス発生部１４２及びパルス選択部１４３に加えて、書き込み切り替え部１４４を備えた構成となっている。
【００４６】
書き込み切り替え部１４４は、ワイド表示モードで区分される黒表示領域と実表示領域の境界に位置する表示ラインを境界表示ラインに設定し、この境界表示ラインに書き込まれる映像信号（書き込み信号）を撮影モード（通常撮影モード／対面撮影モード）に応じて切り替えるものである。実表示領域とは、液晶モニタ５の液晶パネル８（画面）上で、実際にビデオカメラ１で撮影した映像が表示される領域であって、上述した画面上側の黒表示領域と画面下側の黒表示領域の間の領域をいう。ここで、上述したパルス選択部１４３は、検出センサ１３のセンサ信号から撮影モードが通常撮影モードであると認識すると、第１のパルス発生部１４１が発生する第１の垂直走査開始パルスφＳＶ１を選択して液晶モニタ５に出力し、撮影モードが対面撮影モードであると認識すると、第２のパルス発生部１４２が発生する第２の垂直走査開始パルスφＳＶ２を選択して液晶モニタ５に出力する。
【００４７】
このことから、書き込み切り替え部１４４によって境界表示ラインに書き込まれる映像信号は、パルス選択部１４３から液晶モニタ５に出力される垂直走査開始パルスφＳＶ１，φＳＶ２（垂直走査開始タイミング）に応じて切り替えられることになる。すなわち、パルス選択部１４３が第１の垂直走査開始パルスφＳＶ１を選択して液晶モニタ５に出力する場合、書き込み切り替え部１４４は境界表示ラインに書き込む映像信号を黒表示信号に切り替える。また、パルス選択部１４３が第２の垂直走査開始パルスφＳＶ２を選択して液晶モニタ５に出力する場合、書き込み切り替え部１４４は境界表示ラインに書き込む映像信号を通常の映像信号に切り替える。
【００４８】
このように境界表示ラインに書き込む映像信号を書き込み切り替え部１４４で切り替えることにより、対面撮影モード（上下反転表示）でワイド表示モードを適用した場合でも、液晶モニタ５に映像が不適切に表示されることがなくなる。
【００４９】
具体的には、例えば図１０に示すように、ワイド表示モードで適用される液晶モニタ５の表示領域を、液晶パネル８の垂直方向において、複数（図例では８本）の表示ラインからなる黒表示領域Ｅ１と、実際に映像が表示（間引き表示）される実表示領域Ｅ２とに区分し、かつ、それらの領域Ｅ１，Ｅ２の境界に位置する１本の表示ラインを境界表示ラインＬとした場合を想定する。
【００５０】
この場合、書き込み切り替え部１４４による書き込み信号の切り替えに伴い、通常表示モード（上下非反転表示状態）では、図１１に示すタイミングチャートにしたがって、図１２（Ａ）のように▲１▼及び▲２▼に属する組（黒表示領域Ｅ１）の表示ラインに黒表示信号を書き込むとともに、▲３▼の組（境界表示ラインｌ）に属する表示ラインにも黒表示信号を書き込み、かつ、▲４▼以降（実表示領域Ｅ２）の表示ラインに通常の映像信号を書き込む。また、対面表示モード（上下反転表示状態）では、図１１に示すタイミングチャートにしたがって、図１２（Ｂ）のように▲１▼及び▲２▼に属する組（黒領域領域Ｅ１）の表示ラインに黒表示信号を書き込むとともに、▲３▼の組（境界表示ラインＬ）に属する表示ラインに通常の映像信号を書き込み、かつ、▲４▼以降（実表示領域Ｅ２）の表示ラインにも通常の映像信号を書き込む。これにより、黒表示となるべき領域内に通常の映像信号が挿入されることがなくなる。したがって、対面撮影モード（上下反転表示）でワイド表示モードを適用した場合に、液晶モニタ５の液晶パネル８に適切に映像を表示することができる。
【００５１】
ちなみに、上記第３実施形態においては、液晶モニタ５の表示モードをワイド表示モードに設定した状態で、ビデオカメラ１の撮影モードを通常撮影モードから対面撮影モードに切り替えたときに、書き込み切り替え部１４４による境界表示ラインへの書き込み信号（黒表示信号から通常映像信号）の切り替え応じて、映像の表示位置が垂直方向で１ラインずれることになるが、この点は上記第２実施形態の場合と同様の理由により特に問題となることはない。
【００５２】
また、上記第３実施形態においては、境界表示ラインのライン数を１ラインとしたが、このライン数については黒表示領域に含まれる表示ラインの組分けの仕方に応じて任意に設定することが可能である。ただし、あまり多くの表示ラインを境界表示ラインにすると、撮影モードの違いによる映像表示位置のずれが顕著になるため、この点を考慮して適宜設定することが望ましい。
【００５３】
また、上記第１〜第３実施形態においては、第１の表示装置と第２の表示装置をそれぞれ一つずつ備える撮影装置を例示したが、撮影装置が備える各々の表示装置（第１の表示装置、第２の表示装置）の個数は複数個であってもよい。
【００５４】
【発明の効果】
以上説明したように本発明の撮影装置によれば、画面の垂直方向で第２の表示装置の表示ライン数を奇数に設定することにより、第２の表示装置の表示状態を上下反転しない場合と上下反転する場合のいずれにおいても、表示ラインの垂直走査が常に奇数ライン目から開始される。そのため、上下反転表示しない場合と上下反転表示する場合のいずれにおいても、第２の表示装置に適切に映像を表示することができる。その結果、第１の表示装置と第２の表示装置を共通の駆動制御手段で駆動する際の表示上の不具合を解消することが可能となる。
【００５５】
また、本発明の撮影装置によれば、第２の表示装置の表示状態が上下反転表示であるか否かに応じて、当該第２の表示装置で複数の表示ラインを垂直方向に走査するときの垂直走査開始タイミングを切り替えることにより、第２の表示装置の表示ライン数が偶数に設定された場合に、第２の表示装置の表示状態に合わせて垂直走査開始タイミングを適切にずらすことできる。そのため、上下反転表示しない場合と上下反転表示する場合のいずれにおいても、第２の表示装置に適切に映像を表示することができる。その結果、第１の表示装置と第２の表示装置を共通の駆動制御手段で駆動する際の表示上の不具合を解消することが可能となる。
【図面の簡単な説明】
【図１】本発明が適用されるビデオカメラの外観を示す斜視図である。
【図２】本発明が適用されるビデオカメラの制御系の構成例を示すブロック図である。
【図３】本発明の第１実施形態に係る液晶モニタの表示例を示す図である。
【図４】本発明の第２実施形態に係るビデオカメラの構成を示すブロック図である。
【図５】本発明の第２実施形態に係る信号処理のタイミングチャートである。
【図６】表示モードの切り替え方式を説明する図である。
【図７】ワイド表示モードで適用される信号書き込み方式を説明する図である。
【図８】対面撮影モードでワイド表示モードに切り替えたときの不具合を説明する図である。
【図９】本発明の第３実施形態に係るビデオカメラの構成を示すブロック図である。
【図１０】画面領域の区分を説明する図である。
【図１１】本発明の第３実施形態に係る信号処理のタイミングチャートである。
【図１２】本発明の第３実施形態による信号書き込み方式を説明する図である。
【図１３】上下反転表示による不具合を説明する図である。
【図１４】画素配列の一例を説明する図である。
【符号の説明】
１…ビデオカメラ、４…液晶ビューファインダ、５…液晶モニタ、８…液晶パネル、１３…検出センサ、１４…駆動制御回路、１４１…第１のパルス発生部、１４２…第２のパルス発生部、１４３…パルス選択部、１４４…書き込み切り替え部
【図１】
2004356948.tif 000003
【図２】
2004356948.tif 000004
【図３】
2004356948.tif 000005
【図４】
2004356948.tif 000006
【図５】
2004356948.tif 000007
【図６】
2004356948.tif 000008
【図７】
2004356948.tif 000009
【図８】
2004356948.tif 000010
【図９】
2004356948.tif 000011
【図１０】
2004356948.tif 000012
【図１１】
2004356948.tif 000013
【図１２】
2004356948.tif 000014
【図１３】
2004356948.tif 000015
【図１４】
2004356948.tif 000016